(57)【要約】【課題】遊技機において、バックロードホーン型のスピーカダクトを長くすることなく低音出力を増強可能なスピーカシステムを提供すること。【解決手段】遊技機１のためのスピーカシステム９１Ｌおよび９１Ｒは、スピーカユニット９Ｌおよび９Ｒと、前記スピーカユニット９Ｌおよび９Ｒを収容するエンクロージャ９１２Ｌおよび９１２Ｒと、前記エンクロージャ９１２Ｌおよび９１２Ｒにスロート部９１３Ｌおよび９１３Ｒを介して連通するバックロードホーン９１１Ｌおよび９１１Ｒと、を備え、前記バックロードホーン９１１Ｌおよび９１１Ｒが、目的とするカットオフ周波数に応じた所定の広がり係数を有する。【選択図】図２
2007289520.tif 000002
【特許請求の範囲】
【請求項１】
遊技機のためのスピーカシステムであって、
スピーカユニットと、前記スピーカユニットを収容するエンクロージャと、前記エンクロージャにスロート部を介して連通するバックロードホーンと、を備え、
前記バックロードホーンが、目的とするカットオフ周波数に応じた所定の広がり係数を有することを特徴とするスピーカシステム。
【請求項２】
前記広がり係数は、
【数１】
2007289520.tif 000004
で決定されるものであることを特徴とする請求項１に記載のスピーカシステム。
【請求項３】
前記バックロードホーンの開口部が前記遊技機の背面に配設されていることを特徴とする請求項１または請求項２に記載のスピーカシステム。
【請求項４】
前記バックロードホーンが、内部がスパイラル状の仕切板によって仕切られてなる筒体によって構成され、かつ、前記エンクロージャの内部に配設されていることを特徴とする請求項１から請求項３のいずれかに記載のスピーカシステム。
【発明の詳細な説明】
【技術分野】
【０００１】
本発明は、遊技機の低音出力を増強可能なスピーカシステムに関する。
【背景技術】
【０００２】
従来のスロットマシン等の遊技機においては、ＬＥＤやランプの点滅・点灯による光演出や液晶表示装置による表示演出とともにスピーカによる効果音の出力は遊技機の演出の効果を左右する重要な要素である。
【０００３】
そこで、クリアな高音とともに、迫力のある低音を出力することが可能なスピーカシステムが求められており、様々な工夫がなされてきた。例えば、大きなスピーカを搭載する方法も試みられているが、遊技機の筐体内部は様々な回路基板や遊技媒体を払出すための遊技媒体の貯留スペースなどが配設されており、スピーカが配設可能なスペースは限られたものにならざるを得ず、スピーカ自体の大型化には限界があった。
【０００４】
そこで、特許文献１に開示された遊技機は、スピーカ収容部にスピーカユニットを配設するエンクロージャとバスレフポートとを配設し、さらに当該エンクロージャから当該バスレフポートに連通し、かつ、幅員がバスレフポートに近づくほど増加するいわゆるバックロードホーン型のスピーカダクトを配設することによって、低音域の能率を良くして当該スピーカユニットの高音質化を図っている。
【０００５】
【特許文献１】特開２００３−８８６１８号公報
【発明の開示】
【発明が解決しようとする課題】
【０００６】
しかしながら、特許文献１においては、低音再生帯域（いわゆるカットオフ周波数）がバスレフダクトの全長Ｌに対してＣ／（２Ｌ）＊０．７（ここで、Ｃは音速）で与えられることに注目し、当該バックロードホーン型のスピーカダクト（バスレフダクト）の長さをより長くするために、迷路状のダクト構造を備えている。このため、特許文献１のスピーカシステムは、結果としては当該迷路状のダクト構造を配設するためのスペースを確保する必要がある。具体的には、特許文献１においては、１７０Ｈｚのカットオフ周波数を得るために、約０．７ｍのバスレフダクト長を要している。
【０００７】
さらに、特許文献１においては、スピーカユニットを配設するためのスペースの制約条件から、左右のステレオスピーカユニットの一方を密閉型、他方をバックロードホーン型のバスレフダクトを備えたものとしており、低音出力の増強が可能なのは、片方のスピーカユニットのみにとどまっている。
【０００８】
そこで、本発明は、このような課題を解決するために、遊技機において、バックロードホーン型のスピーカダクトを長くすることなく低音出力を増強可能なスピーカシステムを提供することを目的とする。
【０００９】
さらに本発明は、遊技機のステレオスピーカの左右のチャネルとも低音出力の増強が可能とするスピーカシステムを提供することを目的とする。
【課題を解決するための手段】
【００１０】
本発明者は、バックロードホーンの広がり係数に注目し、当該ホーンの長さを長くすることなく低音出力を増強することが可能となるのではないか、という着想を得て本発明を完成するに至った。
【００１１】
本発明は、具体的には以下のようなものを提供する。
【００１２】
（１）  遊技機のためのスピーカシステムであって、
スピーカユニットと、前記スピーカユニットを収容するエンクロージャと、前記エンクロージャにスロート部を介して連通するバックロードホーンと、を備え、
前記バックロードホーンが、目的とするカットオフ周波数に応じた所定の広がり係数を有することを特徴とするスピーカシステム。
【００１３】
（１）の構成によれば、前記遊技機のためのスピーカシステムは、スピーカユニットと、前記スピーカユニットを収容するエンクロージャと、前記エンクロージャにスロート部を介して連通するバックロードホーンと、を備え、前記バックロードホーンが、目的とするカットオフ周波数に応じた所定の広がり係数を有しており、前記バックロードホーンの長さに関わらず当該スピーカシステムを設計し得るという作用効果を奏する。
【００１４】
このことにより、様々に異なる遊技機におけるスピーカユニットのスペース要件に応じて、バックロードホーンの長さを自由に設計することができる。
【００１５】
その結果、当該スペース要件が厳しい場合には短いバックロードホーンを配設することができ、ステレオスピーカユニットの両チャネルとも低音増強をすることが可能なスピーカシステムを提供することができる。
【００１６】
（２）  前記広がり係数は、
【数１】
2007289520.tif 000003
で決定されるものであることを特徴とする（１）に記載のスピーカシステム。
【００１７】
（３）  前記バックロードホーンの開口部が前記遊技機の背面に配設されていることを特徴とする（１）または（２）に記載のスピーカシステム。
【００１８】
（４）  前記バックロードホーンが、内部がスパイラル状の仕切板によって仕切られてなる筒体によって構成され、かつ、前記エンクロージャの内部に配設されていることを特徴とする（１）から（３）のいずれかに記載のスピーカシステム。
【発明の効果】
【００１９】
本発明によれば、前記遊技機用スピーカシステムは、スピーカユニットと、前記スピーカユニットを収容するエンクロージャと、前記エンクロージャにスロート部を介して連通するバックロードホーンと、を備え、前記バックロードホーンが目的とするカットオフ周波数に応じた所定の広がり係数を有しており、前記バックロードホーンの長さに関わらず当該スピーカシステムを設計することができる。
【発明を実施するための最良の形態】
【００２０】
以下、本発明の実施の形態について、図面に基づき詳細に説明する。
【００２１】
図１は、本発明の一実施例の遊技機１の外観を示す斜視図である。遊技機１は、いわゆる「パチスロ機」である。この遊技機１は、コイン、メダル、遊技球またはトークンなどの他、遊技者に付与された、もしくは付与される遊技価値の情報を記憶したカード等の遊技媒体を用いて遊技する遊技機であるが、以下ではメダルを用いるものとして説明する。
【００２２】
遊技機１の全体を形成している筐体４は、箱状のキャビネット６０と、このキャビネット６０を開閉する前面ドア２と、を備える。この前面ドア２の正面中央には、略垂直面としての縦長矩形の表示窓４Ｌ，４Ｃ，４Ｒが設けられる。
【００２３】
表示窓４Ｌ，４Ｃ，４Ｒには、表示ラインとして、水平方向にトップライン８ｂ、センターライン８ｃおよびボトムライン８ｄ、斜め方向にクロスアップライン８ａおよびクロスダウンライン８ｅが設けられている。
【００２４】
これらの表示ラインは、後述の１−ＢＥＴスイッチ１１、２−ＢＥＴスイッチ１２、最大ＢＥＴスイッチ１３を操作すること（以下「ＢＥＴ操作」という）、或いはメダル投入口２２にメダルを投入することにより、それぞれ１本、３本、５本が有効化される。どの表示ラインが有効化されたかは、後で説明するＢＥＴランプ９ａ，９ｂ，９ｃの点灯で表示される。
【００２５】
ここで、表示ライン８ａ〜８ｅは、役の成否に関わる。具体的には、所定の役に対応する図柄組合せを構成する図柄がいずれかの有効ライン（有効化された表示ライン）に対応する所定の位置に並んで停止表示されることにより、所定の役が成立することとなる。
【００２６】
前面ドア２の裏面には、複数のリール３Ｌ，３Ｃ，３Ｒと、これらリール３Ｌ，３Ｃ，３Ｒを回転駆動するステッピングモータと、を収容するリールユニット２００（図２）が取り付けられている。なお、前面ドア２の裏面については、後に図２を参照して詳述する。
【００２７】
各リール３Ｌ，３Ｃ，３Ｒには、それぞれの外周面に、遊技に必要な複数種類の図柄によって構成される識別情報としての図柄列が描かれており、各々はリールユニット２００に回転自在に横一列に設けられている。各リール３Ｌ，３Ｃ，３Ｒの図柄は表示窓４Ｌ，４Ｃ，４Ｒを通して、遊技機１の外部から視認できるようになっている。また、各リール３Ｌ，３Ｃ，３Ｒは、定速回転（例えば８０回転／分）で回転し、図柄列を変動表示する。
【００２８】
表示窓４Ｌ，４Ｃ，４Ｒの上方には、画像表示手段としての液晶表示部５ａ、情報表示部１８、およびスピーカユニット９Ｌ，９Ｒが設けられる。液晶表示部５ａは、表示窓４Ｌ，４Ｃ，４Ｒよりも大きな表示面を備え、画像表示による演出を行う。情報表示部１８は、７セグメントＬＥＤから成り、貯留（クレジット）されているメダルの枚数、メダルの払出枚数などを表示する。また、スピーカユニット９Ｌ，９Ｒは、効果音や音声等の音による演出を行う。
【００２９】
さらに、スピーカユニット９Ｌに対応するバックロードホーン９１１Ｌの開口部９０Ｌおよびスピーカユニット９Ｒに対応するバックロードホーン９１１Ｒの開口部９０Ｒが配設されている。スピーカユニット９Ｌおよび９Ｒが発生させた効果音や音声等は、高音領域の音は主としてスピーカユニット９Ｌおよび９Ｒから直接出力され、低音領域の音はそれぞれのバックロードホーン９１１Ｌおよび９１１Ｒにおいて増幅され、それぞれ独立した開口部９０Ｌおよび９０Ｒから出力される。
【００３０】
表示窓４Ｌ，４Ｃ，４Ｒの左側には、１−ＢＥＴランプ９ａ、２−ＢＥＴランプ９ｂ、最大ＢＥＴランプ９ｃが設けられる。１−ＢＥＴランプ９ａ、２−ＢＥＴランプ９ｂおよび最大ＢＥＴランプ９ｃは、一のゲームを行うために賭けられたメダルの数（以下「ＢＥＴ数」という）に応じて点灯する。
【００３１】
１−ＢＥＴランプ９ａは、ＢＥＴ数が“１”で１本の表示ラインが有効化されたとき（１本の有効ラインが設定されたとき）に点灯する。２−ＢＥＴランプ９ｂは、ＢＥＴ数が“２”で３本の表示ラインが有効化されたとき（３本の有効ラインが設定されたとき）に点灯する。最大ＢＥＴランプ９ｃは、ＢＥＴ数が“３”で全て（５本）の表示ラインが有効化されたとき（全て（５本）の有効ラインが設定されたとき）に点灯する。
【００３２】
表示窓４Ｌ，４Ｃ，４Ｒの下方には、略水平面の台座部１０が形成されている。この台座部１０の水平面内のうち、右側にはメダル投入口２２が設けられ、左側には１−ＢＥＴスイッチ１１、２−ＢＥＴスイッチ１２、および最大ＢＥＴスイッチ１３が設けられる。
【００３３】
１−ＢＥＴスイッチ１１は、１回の押し操作により、クレジットされているメダルのうちの１枚がゲームに賭けられ、２−ＢＥＴスイッチ１２は、１回の押し操作により、クレジットされているメダルのうちの２枚がゲームに賭けられ、最大ＢＥＴスイッチ１３は、１回のゲームに賭けることが可能な最大枚数のメダルが賭けられる。これらのＢＥＴスイッチ１１，１２，１３を操作することで、前述のとおり、所定の表示ラインが有効化される。
【００３４】
台座部１０の前面部の左寄りには、遊技者がゲームで獲得したメダルのクレジット／払出しを押しボタン操作で切り換えるＣ／Ｐスイッチ１４が設けられている。このＣ／Ｐスイッチ１４の切り換えにより、正面下部のメダル払出口１５からメダルが払出され、払出されたメダルはメダル受け部１６に溜められる。Ｃ／Ｐスイッチ１４の右側には、遊技者の操作により上記リールを回転させ、表示窓４Ｃ内での図柄の変動表示を開始するためのスタートレバー６が所定の角度範囲で回動自在に取り付けられている。
【００３５】
台座部１０の前面部の略中央には、３個のリール３Ｌ，３Ｃ，３Ｒの回転をそれぞれ停止させるための３個の操作手段としての停止ボタン７Ｌ，７Ｃ，７Ｒが設けられている。なお、実施例では、一のゲーム（単位遊技）は、基本的にスタートレバー６が操作されることにより開始し、全てのリール３Ｌ，３Ｃ，３Ｒが停止したときに終了する。
【００３６】
実施例では、全てのリールが回転しているときに行われるリールの停止操作（停止ボタンの操作）を「第１停止操作」、「第１停止操作」の後に行われる停止操作を「第２停止操作」、「第２停止操作」の後に行われる停止操作を「第３停止操作」という。
【００３７】
前面ドア２下部の正面には、メダルが払出されるメダル払出口１５と、この払出されたメダルを貯留するメダル受け部１６とが設けられている。また、前面ドア２下部の正面のうち、停止ボタン７Ｌ，７Ｃ，７Ｒとメダル受け部１６とに上下を挟まれた面には、機種のモチーフに対応したデザインがあしらわれた腰部パネル２０が取り付けられている。
【００３８】
図２を参照して、前面ドア２の裏面の構成について説明する。
【００３９】
図２は、前面ドア２の裏面の構成を示す斜視図である。
【００４０】
図２に示すように、前面ドア２の裏面には、この前面ドア２にサブベース１００を介して支持される副制御手段としての副制御回路ユニット１４０と、サブベース１００に取付ベース１２０を介して支持される主制御手段としての主制御回路ユニット１８０およびリールユニット２００と、が設けられる。
【００４１】
前面ドア２は、この前面ドア２の本体を形成する前面ドア本体２ｂと、この前面ドア本体２ｂに取り付けられたサブベース１００と、このサブベース１００に取り付けられた取付ベース１２０と、を備える。
【００４２】
サブベース１００は、板状の部材であり、前面ドア２の前面に設けられた液晶表示部５ａを覆うようにして、前面ドア本体２ｂの裏面に、複数のねじ１０９で取り付けられる。サブベース１００は、前面ドア２の裏面に対し略平行に取り付けられる。サブベース１００の表面のうち、液晶表示部５ａを覆う領域は、略平らに形成されている。
【００４３】
また、スピーカユニット９Ｌおよび９Ｒを含むスピーカシステム９１Ｌおよび９１Ｒがそれぞれ前面ドアの左右上部に配設されている。
【００４４】
図３は、スピーカシステム９１Ｌおよび９１Ｒの構成を示す斜視図である。
【００４５】
図３に示すように、スピーカユニット９Ｌおよび９Ｒはエンクロージャ９１２Ｌおよび９１２Ｒに収められており、エンクロージャ９１２Ｌおよび９１２Ｒはスロート部９１３Ｌおよび９１３Ｒを介してバックロードホーン９１１Ｌおよび９１１Ｒに連通している。さらに、バックロードホーン９１１Ｌおよび９１１Ｒは開口部９０Ｌおよび９０Ｒを備えている。スピーカユニット９Ｌおよび９Ｒが出力した効果音や音声のうち低音領域の音はスロート部９１３Ｌおよび９１３Ｒを介してバックロードホーン９１１Ｌおよび９１１Ｒでそれぞれ増幅され、開口部９０Ｌおよび９０Ｒから出力される。
【００４６】
ここで、バックロードホーン９１１Ｌおよび９１１Ｒは目的とするカットオフ周波数に対応する広がり係数を持って構成されている。このように、本発明においては、目的とするカットオフ周波数に対応する広がり係数を決定し、その結果に基づいてスロート部９１３Ｌおよび９１３Ｒからバックロードホーン９１１Ｌおよび９１１Ｒの本体を経て開口部９０Ｌおよび９０Ｒに至る幅員等を設計する。従って、バックロードホーン９１１Ｌおよび９１１Ｒ自体の長さは当該決定した広がり係数を満たす限り、スピーカシステム９１Ｌおよび９１Ｒのスペース要件に応じて自由に設計可能である。
【００４７】
図４は、スピーカシステム９１Ｌおよび９１Ｒの別の構成を示す断面図である。
【００４８】
この構成においては、バックロードホーン９１１Ｌおよび９１１Ｒは、筒体の内部をらせん状の仕切板によって仕切られることによって構成されており、かつ、エンクロージャ９１２Ｌおよび９１２Ｒの内部に配設されている。
【００４９】
この構成においても、バックロードホーン９１１Ｌおよび９１１Ｒ自体の長さは、上述の例と同様にして自由に設計することができる。
【００５０】
図５は、スピーカシステム９１Ｌおよび９１Ｒの別の構成を示す断面図である。
【００５１】
この構成においては、バックロードホーン９１１Ｌおよび９１１Ｒの開口部９０Ｌおよび９０Ｒはスピーカユニット９Ｌおよび９Ｒとは対向する側に配設されている。この場合には、遊技機の筐体の背面部に開口部９０Ｌおよび９０Ｒを配設することになる。遊技機のスペース要件から遊技機前面に開口部９０Ｌおよび９０Ｒを配設することができない場合に有効である。
【００５２】
図６は、図５のスピーカシステム９１Ｌおよび９１Ｒを遊技機１の本体側に設置した場合の設置例を示す図である。
【００５３】
スピーカユニット９Ｌおよび９Ｒは前面側を向いているが開口部９０Ｌおよび９０Ｒは背面側を向いており、増幅された低音は遊技機の筐体の背面側から出力される。
【００５４】
なお、本発明は上記実施の形態に限定されるものではない。
【００５５】
上述の実施例においては、いわゆるパチスロ機について説明したが、本発明は、各リールに対して個別の停止制御手段を備えていないいわゆるスロットマシンや、パチンコ機についても同様に適用が可能である。
【００５６】
また、上述の実施例においては、いわゆるメカニカルリールを備えたスロットマシンについて説明したが、本発明は、液晶表示装置等によるいわゆるシミューレーションリールを備えた回胴遊技機についても同様に適用が可能である。
【産業上の利用可能性】
【００５７】
本発明は、遊技機において、バックロードホーン型のスピーカダクトを長くすることなく低音出力を増強可能なスピーカシステムとして有用である。
【図面の簡単な説明】
【００５８】
【図１】本発明の実施の形態の一例に係る遊技機の外観を示す斜視図である。
【図２】本発明の実施の形態の一例に係る遊技機の前面ドアの裏面の構成を示す斜視図である。
【図３】本発明の実施の形態の一例に係る遊技機のスピーカシステムの構成を示す斜視図である。
【図４】本発明の実施の形態の一例に係る遊技機のスピーカシステムの構成を示す断面図である。
【図５】本発明の実施の形態の一例に係る遊技機のスピーカシステムの構成を示す断面図である。
【図６】本発明の実施の形態の一例に係る遊技機の本体の構成を示す図である。
【符号の説明】
【００５９】
１      遊技機
４      筐体
９Ｌ，９Ｒ      スピーカユニット
２      前面ドア
９１Ｌ，９１Ｒ      スピーカシステム
９０Ｌ，９０Ｒ      開口部
６０      キャビネット
３Ｌ，３Ｃ，３Ｒ      リール
５ａ      液晶表示部
７Ｌ，７Ｃ，７Ｒ      停止ボタン
１２０      取付ベース
１２１      リールユニットベース
１３１      主制御回路ベース
１４０      副制御回路ユニット
２００      リールユニット
２１０      リールボックス
９１１Ｌ，９１１Ｒ      バックロードホーン
９１２Ｌ，９１２Ｒ      エンクロージャ
９１３Ｌ，９１３Ｒ      スロート部
【図１】
2007289520.tif 000005
【図２】
2007289520.tif 000006
【図３】
2007289520.tif 000007
【図４】
2007289520.tif 000008
【図５】
2007289520.tif 000009
【図６】
2007289520.tif 000010